(57)【要約】    【課題】構造を簡単にすることができる合わせパネルを提供する。    【解決手段】合わせパネル１００において、非透明（半透明又は不透明）の中間膜１３０が互いに対向する一対のガラス板１１０，１２０の間に介在する。発光装置１４０は赤、緑、青色光を発光可能なＬＥＤ１４１，１４２，１４３を備え、発光装置１４０はガラス板１１０，１２０の外周縁部を収容する枠体１５０の溝１５３の底面に取り付けられる。階調制御装置１６０は発光装置１４０のＯＮ・ＯＦＦ及び発光する光の階調を制御可能である。合わせパネル１００において発光装置１４０は、ガラス板１１０，１２０の外周端面の直ぐ近傍に配設され、発光する光がガラス板１１０，１２０の外周端面から板厚内に導入される。【選択図】      図１
2006298061.tif 000002
【特許請求の範囲】
【請求項１】
互いに対向する一対の透明基板と、該一対の透明基板の間に介在する非透明な中間膜と、前記一対の透明基板の端部から前記一対の透明基板の板厚内に赤、緑、及び青の光を発光可能な発光源とを備えることを特徴とする合わせパネル。
【請求項２】
前記中間膜は半透明であることを特徴とする請求項１記載の合わせパネル。
【請求項３】
前記中間膜は不透明であることを特徴とする請求項１記載の合わせパネル。
【請求項４】
前記中間膜は、一対の透明電極膜と、該一対の透明電極膜の間に介在すると共に、複数の空孔を有し且つ該空孔の各々に液晶材料が封入された透明な液晶層と、前記一対の透明電極膜に電圧を印加する電圧印加手段とを備えることを特徴とする請求項１記載の合わせパネル。
【請求項５】
前記発光源の発光する赤、緑、及び青の光の階調の各々を制御可能な階調制御手段を備えることを特徴とする請求項１乃至４のいずれか１項に記載の合わせパネル。
【請求項６】
前記光源は赤、緑、及び青の光を発光可能な一対のＬＥＤを少なくとも１つ備えることを特徴とする請求項１乃至５のいずれか１項に記載の合わせパネル。
【請求項７】
前記一対の透明基板の外周縁部が収容されると共に前記光源が配設される枠体を備えることを特徴とする請求項１乃至６のいずれか１項に記載の合わせパネル。
【請求項８】
互いに対向する一対の透明基板と、該一対の透明基板の間に介在する非透明な中間膜と、前記一対の透明基板の端部から前記一対の透明基板の板厚内に単色の光を発光可能な発光源とを備えることを特徴とする合わせパネル。
【発明の詳細な説明】
【技術分野】
【０００１】
本発明は、合わせパネルに関し、特に、車両等の窓に用いられる面発光可能な合わせパネルに関する。
【背景技術】
【０００２】
従来、自動車のルーフガラスに用いられる合わせパネルとして、一対のガラス板やプラスチック板等の一対の透明基板の間にエレクトロルミネセンス層が設けられた合わせパネルがある。エレクトロルミネセンス層は、エレクトロルミネセンス光素子や、このエレクトロルミネセンス光素子に電圧を印加する一対の電極層等から構成されている。上記従来の合わせパネルは、エレクトロルミネセンス層に電圧を印加することにより透明基板の全面において発光し、自動車の室内照明として使用することができる（例えば、特許文献１参照。）。
【特許文献１】特表２００４−５２７８９４号公報
【発明の開示】
【発明が解決しようとする課題】
【０００３】
しかしながら、エレクトロルミネセンス光素子は単一の色の光のみを発光可能であるため、上述の従来の合わせパネルにおけるエレクトロルミネセンス層は、単一色の光しか発光できず、ユーザが任意に所望する色の光を発光させることができなかった。従って、ユーザの嗜好を満足させるものではなかった。
【０００４】
また、上述の従来の合わせパネルは、エレクトロルミネセンス光素子や電極層等から構成されるエレクトロルミネセンス層を一対の透明基板の間に形成するので、構造が複雑であった。このため、製造工程が煩雑となり、製造コストが高くなるという問題があった。
【０００５】
本発明の目的は、構造を簡単にすることができる合わせパネルを提供することにある。
【課題を解決するための手段】
【０００６】
上記目的を達成するために、請求項１記載の合わせパネルは、互いに対向する一対の透明基板と、該一対の透明基板の間に介在する非透明な中間膜と、前記一対の透明基板の端部から前記一対の透明基板の板厚内に赤、緑、及び青の光を発光可能な発光源とを備えることを特徴とする。
【０００７】
請求項２記載の合わせパネルは、請求項１記載の合わせパネルにおいて、前記中間膜は半透明であることを特徴とする。
【０００８】
請求項３記載の合わせパネルは、請求項１記載の合わせパネルにおいて、前記中間膜は不透明であることを特徴とする。
【０００９】
請求項４記載の合わせパネルは、請求項１記載の合わせパネルにおいて、前記中間膜は、一対の透明電極膜と、該一対の透明電極膜の間に介在すると共に、複数の空孔を有し且つ該空孔の各々に液晶材料が封入された透明な液晶層と、前記一対の透明電極膜に電圧を印加する電圧印加手段とを備えることを特徴とする。
【００１０】
請求項５記載の合わせパネルは、請求項１乃至４のいずれか１項に記載の合わせパネルにおいて、前記発光源の発光する赤、緑、及び青の光の階調の各々を制御可能な階調制御手段を備えることを特徴とする。
【００１１】
請求項６記載の合わせパネルは、請求項１乃至５のいずれか１項に記載の合わせパネルにおいて、前記光源は赤、緑、及び青の光を発光可能な一対のＬＥＤを少なくとも１つ備えることを特徴とする。
【００１２】
請求項７記載の合わせパネルは、請求項１乃至６のいずれか１項に記載の合わせパネルにおいて、前記一対の透明基板の外周縁部が収容されると共に前記光源が配設される枠体を備えることを特徴とする。
【００１３】
請求項８記載の合わせパネルは、互いに対向する一対の透明基板と、該一対の透明基板の間に介在する非透明な中間膜と、前記一対の透明基板の端部から前記一対の透明基板の板厚内に単色の光を発光可能な発光源とを備えることを特徴とする。
【発明の効果】
【００１４】
請求項１記載の合わせパネルによれば、非透明な中間膜が間に介在する一対の透明基板の端部から、発光源がこの一対の透明基板の板厚内に、赤、緑、及び青の光を発光可能である。このため、発光源が種々の色の光を一対の透明基板の全面において発光させることができ、従って、ユーザの所望する色の光を発光させることができ、ユーザの嗜好を満たすことができる。また、上記一対の透明基板の端部に発光源を配設すればよく、構造を簡単にすることができる。
【００１５】
請求項２記載の合わせパネルによれば、中間膜は半透明であるので、一対の透明基板の全面において確実に発光させることができる。
【００１６】
請求項３記載の合わせパネルによれば、中間膜は不透明であるので、一対の透明基板の全面において発光する光の輝度をより上昇させることができる。
【００１７】
請求項４記載の合わせパネルによれば、中間膜が、液晶材料が封入された複数の空孔を有する液晶層と、この液晶層が間に介在する一対の透明電極膜と、一対の透明電極膜に電圧を印加する電圧印加手段とを備えるので、電圧印加手段の操作により液晶層の液晶材料の配列方向を変更させることができ、中間膜に入射する光を透過又は散乱させることができる。従って、ユーザは電圧印加手段を操作することにより中間膜を透明又は非透明にすることができ、ユーザの嗜好をより満たすことができる。
【００１８】
請求項５記載の合わせパネルによれば、階調制御手段が、発光源の発光する赤、緑、及び青の光の階調の各々を制御可能であるので、ユーザは階調制御手段を操作することにより、任意に所望する色の光を一対の透明基板の全面において発光させることができ、ユーザの嗜好をより満たすことができる。
【００１９】
請求項６記載の合わせパネルによれば、光源は赤、緑、及び青の光を発光可能な一対のＬＥＤを少なくとも１つ備えるので、請求項１の効果を確実に奏することができる。
【００２０】
請求項７記載の合わせパネルによれば、光源が配設された枠体が一対の透明基板の外周縁部を収容するので、枠体を介してこの合わせパネルを種々の開口部に容易に取り付けることができる。
【００２１】
請求項８記載の合わせパネルによれば、非透明な中間膜が間に介在する一対の透明基板の端部から、発光源がこの一対の透明基板の板厚内に単色の光を発光可能である。従って、上記一対の透明基板の端部に発光源を配設すればよく、構造を簡単にすることができる。
【発明を実施するための最良の形態】
【００２２】
以下、本発明の実施の形態について図面を参照しながら説明する。
【００２３】
図１は、本発明の第１の実施の形態に係る合わせパネルの概略構造を示す断面図であり、図２は、図１の合わせパネルの概略構造を示す斜視図である。
【００２４】
図１及び図２に示すように、本実施の形態に係る合わせパネル１００は、互いに対向する一対の透明基板としてのガラス板１１０，１２０と、ガラス板１１０，１２０の間に介在する中間膜１３０と、一対のガラス板１１０，１２０の外周端部から一対のガラス板１１０，１２０の板厚内に光を発光することができる発光源としての発光装置１４０と、ガラス板１１０，１２０の外周縁部を収容する枠体１５０と、ケーブル１６１を介して発光装置１４０のＯＮ・ＯＦＦ及び発光する光の階調を制御することができる階調制御装置１６０とを備える。
【００２５】
ガラス板１１０，１２０は、矩形のガラス板であり、互いに同一形状同一サイズである。ガラス板１１０，１２０は、夫々対向する内側面１１１，１２１の間が一定の間隔となるように、且つ外周短面が同一平面内に位置するように配設されている。
【００２６】
中間膜１３０は、ガラス板１１０，１２０の間に充填されており、内側面１１１及び内側面１２１においてガラス板１１０及びガラス板１２０を接続している。中間膜１３０は、例えばポリビニルブチラール（ＰＶＢ）製である。また、中間膜１３０は、透明ではなく、半透明若しくは不透明である。即ち、中間膜１３０は、非透明である。
【００２７】
枠体１５０は、図１に示すように、断面形状が略Ｈ型であり、一対のガラス板１１０，１２０の外周縁部を収容可能に形成された溝１５１と、車両や建築物の開口部等を収容するために形成された所定の幅の溝１５２とを備える。また、枠体１５０において溝１５１の底面には、発光装置１４０を配設可能にする溝１５３が形成されている。枠体１５０は、例えばプラスチック製である。
【００２８】
発光装置１４０は、赤色光を発光可能なＬＥＤ１４１と、緑色光を発光可能なＬＥＤ１４２と、青色光を発光可能なＬＥＤ１４３とを備える。発光装置１４０は、枠体１５０の溝１５３の底面に取り付けられており、合わせパネル１００において発光装置１４０は、一対のガラス板１１０，１２０の外周端面の直ぐ近傍に配設される。これにより、発光装置１４０から発光される光、即ちＬＥＤ１４１，１４２，１４３から夫々発光される赤色光、緑色光、及び青色光が、一対のガラス板１１０，１２０の外周端面から、一対のガラス板１１０，１２０の板厚内に導入される。
【００２９】
階調制御装置１６０は、例えばダイヤルスイッチ等の操作部１６２を備え、この操作部１６２が操作されることにより、ＬＥＤ１４１，１４２，１４３を夫々ＯＮ状態又はＯＦＦ状態に制御することができるように構成されている。また階調制御装置１６０は、操作部１６２が操作されることにより、ＬＥＤ１４１，１４２，１４３から夫々発光される赤色光、緑色光、及び青色光の各々の階調を任意に変更することができるように構成されている。従って、ユーザは、階調制御装置１６０の操作部１６２の操作によって、発光装置１４０が発光する光の色を所望の色に任意に変更することができる。
【００３０】
また、合わせパネル１００においては、複数の発光装置１４０が一定の間隔を空けて枠体１５０の右側部１５４（図２参照）の溝１５３の底面に取り付けられている。しかしながら、発光装置１４０は、枠体１５０の溝１５３に１つのみ取り付けられていてもよく、また、枠体１５０の右側部１５４、上側部１５５、左側部１５６、及び１５７（図２参照）の少なくともいずれか１つに取り付けられていてもよい。
【００３１】
上述の構成を有する合わせパネル１００において、ユーザは、階調制御装置１６０の操作部１６２において所定の操作をして発光装置１４０をＯＮ状態にすることにより、発光装置１４０が発光する。そして、発光装置１４０から発光される光は、一対のガラス板１１０，１２０の外周端面から一対のガラス板１１０，１２０の板厚内に導入される。中間膜１３０は、上述のように非透明であるので、一対のガラス板１１０，１２０の板厚内に導入された光は、中間膜１３０によって散乱される。これにより、合わせパネル１００は、一対のガラス板１１０，１２０の全面において発光する。
【００３２】
ここで、中間膜１３０が不透明である場合は、半透明である場合に比べてより多くの光を散乱させることができる。従って、合わせパネル１００は、中間膜１３０が不透明である場合は、半透明である場合に比べて発光する光の輝度が高くなる。
【００３３】
また、ユーザは、階調制御装置１６０の操作部１６２において所定の操作をして、ＬＥＤ１４１，１４２，１４３から夫々発光される赤色光、緑色光、及び青色光の各々の階調を任意に変更することができる。これにより、ユーザは、一対のガラス板１１０，１２０の全面において発光する光の色を所望の色に任意に変更することができる。
【００３４】
上記合わせパネル１００において、発光装置１４０の発光する光がガラス板１１０の板厚内に、又はガラス板１２０の板厚内に導入されるように、発光装置１４０を枠体１５０の溝１５３内において図１の上方向又は下方向に配設してもよい。これにより、合わせパネル１００が、ガラス板１１０の全面において、又はガラス板１２０の全面において発光可能にすることができる。
【００３５】
上述のように、本実施の形態に係る合わせパネル１００によれば、ユーザは、階調制御装置１６０の操作部１６２における所定の操作により、一対のガラス板１１０，１２０の全面において発光させることができる。また、ユーザは、階調制御装置１６０の操作部１６２における所定の操作により、ＬＥＤ１４１，１４２，１４３から夫々発光される赤色光、緑色光、及び青色光の各々の階調を任意に変更することができる。これにより、ユーザは、一対のガラス板１１０，１２０の全面において発光する光の色を所望の色に任意に変更することができる。従って、ユーザの嗜好を満たすことができる。
【００３６】
上述のように、合わせパネル１００によれば、一対のガラス板１１０，１２０の全面において発光させるために、発光装置１４０を枠体１５０に取り付けて一対のガラス板１１０，１２０の外周端面の近傍に配設すればよく、合わせパネルの構造を簡単にすることができる。
【００３７】
上述のように、合わせパネル１００によれば、中間膜１３０は半透明又は不透明の非透明であるので、一対のガラス板１１０，１２０の板厚内に導入された光が散乱されて、一対のガラス板１１０，１２０の全面において発光させることができる。また、中間膜１３０が不透明である場合には、半透明である場合に比べて一対のガラス板１１０，１２０の全面において発光する光の輝度を上昇させることができる。
【００３８】
次いで、本発明の第２の実施の形態に係る合わせパネルについて説明する。
【００３９】
本実施の形態に係る合わせパネルは、上述の第１の実施の形態に係る合わせパネル１００に対して中間膜の構成が異なるのみであり、同一の部材には同一の符号を付して重複した説明を省略し、以下に異なる部分のみ説明する。
【００４０】
図３は、本発明の第２の実施の形態に係る合わせパネルの概略構造を示す断面図である。
【００４１】
図３に示すように、本実施の形態に係る合わせパネル２００は、図１の合わせパネル１００の中間膜１３０に代えて中間膜２１０を備える。中間膜２１０は、ガラス板１１０の内側面１１１及びガラス板１２０の内側面１２１に夫々積層された透明膜２２０，２３０と、透明膜２２０，２３０の間に介在する調光体２４０とを備える。
【００４２】
透明膜２２０，２３０は、例えばＰＶＢ製であり、中間膜１３０とは異なり透明である。
【００４３】
調光体２４０は、透明膜２２０，２３０上に夫々積層された一対の透明なＰＥＴフィルム２６１，２６１と、この一対のＰＥＴフィルム２６１，２６２上に夫々積層された透明導電膜２６３，２６４と、透明電極２６３，２６４の間に充填された液晶層２５０とを備える。
【００４４】
液晶層２５０は、図３に示すように、複数の空孔２５１を有するラテックスから成る透明なポリマーフィルム２５２と、空孔２５１の各々に液晶分子２５４が封入されることによって形成された液晶カプセル２５３とから構成されている。
【００４５】
また、調光体２４０は、その一端、例えば右側端（図３において右側）において液晶層２５０、並びに透明導電膜２６３及びＰＥＴフィルム２６１が切り欠かれることによって露出した透明導電膜２６４上に設けられた電極構造２７０を備える。
【００４６】
電極構造２７０は、調光体２４０の一端において露出した透明導電膜２６４上に塗布された銀ペースト２７１及びこの銀ペースト２７１の上面に貼着された金属層２７２とから成る接続基部と、金属層２７２及び透明膜２２０の間に介在する銅テープから成るケーブル２７３とを有する。また、調光体２４０は、その他端、即ち左側端において露出した透明導電膜２６３の上に設けられた電極構造２７０と同様の構造を有する電極構造（不図示）を備える。この電極構造は、ケーブル２７３に対応するケーブル２７４を備える。
【００４７】
また、中間膜２１０は、透明電極２６３，２６４に電圧を印加するための電圧印加装置２８０を備え、電圧印加装置２８０はケーブル２７３，２７４に接続されている。また、電圧印加装置２８０は、電圧を印加するＯＮ状態及び電圧を印加しないＯＦＦ状態に切換可能にするスイッチ２８１を備える。
【００４８】
調光体２４０においては、スイッチ２８１の操作によって電圧印加装置２８０をＯＮ状態にすることにより、ケーブル２７３，２７４、金属層２７２、及び銀ペースト２７１を介して透明導電膜２６３，２６４間に電圧が印加される。即ち、液晶層２５０に電圧が印加される。
【００４９】
上述の調光体２４０において、液晶層２５０への電圧無印加時には、液晶分子２５４が液晶カプセル２５３の壁の曲面に沿って整列するので、入射光の光路を曲折させ、液晶カプセル２５３及びポリマーフィルム２５２の境界層において入射光を散乱させて液晶層２５０を非透明、例えば乳白色にする。
【００５０】
一方、調光体２４０において、液晶層２５０への電圧印加時には、液晶分子２５４が発生する電界方向に沿って整列するが、このとき、ポリマーフィルム２５２の屈折率ｎｐと液晶分子２５４の常光線屈折率ｎｏが一致するような材料から液晶層２５０が構成されることによって液晶カプセル２５３及びポリマーフィルム２５２の境界層が光学的に存在しない状態となり、液晶層２５０に入射した光をそのまま透過させることができ、これによって液晶層２５０は透明になる。
【００５１】
上述のように、本実施の形態に係る合わせパネル２００によれば、ユーザは、スイッチ２８１の操作によって電圧印加装置２８０をＯＮ状態又はＯＦＦ状態に切り換えることにより、中間膜２１０を非透明又は透明状態にすることができる。従って、ユーザは、中間膜２１０を非透明状態にすることにより、上述の合わせパネル１００と同じ効果を得ることができると共に、中間膜２１０を透明状態にすることにより、合わせパネル２００を介して風景等を見ることができ、ユーザの嗜好をより満たすことができる。
【００５２】
本実施の形態に係る合わせパネル２００において、調光体２４０の構造は上述の構造に限られるものではない。例えば、電極構造は他の構造であってもよい。
【００５３】
次いで、本発明の第３の実施の形態に係る合わせパネルについて説明する。
【００５４】
図４は、本発明の第３の実施の形態に係る合わせパネルを示す斜視図である。
【００５５】
図４に示すように、本実施の形態に係る合わせパネル３００は、構造が合わせパネル１００と同一であり、合わせパネル１００を自動車３１０のルーフパネルとして利用したものである。合わせパネル３００は、枠体１５０の外側の溝１５２に自動車３１０の開口部３２０を収容することによって取り付けられている。合わせパネル３００は、上述のように枠体１５０の外側の溝１５２が自動車３１０の開口部３２０を収容可能に形成されており、開口部３２０に容易に取り付けることができる。
【００５６】
また、階調制御装置１６０を自動車３１０の運転席近傍等に配設することにより、自動車３１０のユーザ、例えば運転者は、階調制御装置１６０を操作することによって、合わせパネル３００の一対のガラス板１１０，１２０の全面において発光する光の色を任意に所望の色に変更することができ、車内の雰囲気を変えることができる。従って、自動車３１０ユーザの嗜好を満たすことができる。
【００５７】
上述のように、本実施の形態に係る合わせパネル３００によれば、枠体１５０を介して自動車３１０の開口部３２０に容易に取り付けることができる。従って、自動車３１０のルーフパネルとして容易に利用することができる。
【００５８】
また、上述の合わせパネル１００と同一の効果を奏することができ、自動車３１０ユーザの嗜好を満たすことができる。
【００５９】
次いで、本発明の第４の実施の形態に係る合わせパネルについて説明する。
【００６０】
図５は、本発明の第４の実施の形態に係る合わせパネルを示す斜視図である。
【００６１】
図５に示すように、本実施の形態に係る合わせパネル４００は、自動車４２０のルーフパネルとして利用されており、図１，２の合わせパネル１００に対して、階調制御装置１６０に対象物間距離を検知可能な測距センサ４１０が複数接続されており、測距センサ４１０の検知する対象物間距離が所定の範囲内になった場合に階調制御装置１６０が発光装置２８０をＯＮ状態にするように構成されている点でのみ異なる。
【００６２】
図５に示すように、合わせパネル４００は、枠体１５０の外側の溝１５２に自動車４２０の開口部４３０を収容することによって取り付けられている。また、例えば４つの測距センサ４１０が自動車４２０の４つの隅角部に取り付けられている。
【００６３】
上述の構成により、本実施の形態に係る合わせパネル４００によれば、測距センサ４１０の検知する対象物間距離が所定の範囲内になった場合に、即ち自動車４２０と対象物との間の距離が所定の範囲内になったときに、階調制御装置１６０が発光装置２８０をＯＮ状態にして、合わせパネル４００を一対のガラス板１１０，１２０の全面において発光させることができる。従って、自動車４２０のユーザ、例えば運転者に危険を知らせることができる。このように、合わせパネル４００は、ワーニングランプとして機能することができる。
【００６４】
また、階調制御装置１６０の設定により、ユーザは合わせパネル４００の発光する光の色を変更することができるので、ユーザは予め、合わせパネル４００の発光する光の色を危険を察知させるのに効果的な色、例えば赤に設定しておくことにより、自動車４２０のユーザ、例えば運転者により効果的に危険を知らせることができる。
【００６５】
また、上述の第３の実施の形態と同一の効果を奏することができる。
【００６６】
次いで、本発明の第５の実施の形態に係る合わせパネルについて説明する。
【００６７】
本実施の形態に係る合わせパネルは、上述の第３の実施の形態において合わせパネル３００の構造を第２の実施の形態に係る合わせパネル２００と同一にしたものである。即ち、第３の実施の形態と同様に、合わせパネル２００を自動車３００の開口部３１０に取り付けてルーフパネルとして利用するものである。
【００６８】
本実施の形態に係る合わせパネルによれば、上述の第３の実施の形態に係る合わせパネル（合わせパネル３００）と同様の効果を奏することができると共に上述の第２の実施の形態に係る合わせパネル（合わせパネル２００）と同一の効果を奏することができる。例えば、電圧印加装置２８０を自動車３１０の運転席近傍等に配設することにより、自動車３１０のユーザ、例えば運転者は、電圧印加装置２８０を操作することによって、中間膜２１０を透明状態にすることにより、合わせパネル２００を介して車外の風景等を見ることができ、ユーザの嗜好をより満たすことができる。また、ユーザは、中間膜２１０を透明又は非透明状態に切り換えることにより、車内に光を導入したり又は車内への光を遮断したりすることができる。
【００６９】
次いで、本発明の第６の実施の形態に係る合わせパネルについて説明する。
【００７０】
本実施の形態に係る合わせパネルは、上述の第４の実施の形態において合わせパネル１００に代えて合わせパネル２００に測距センサ４１０を取り付けた点のみが異なる。
【００７１】
本実施の形態に係る合わせパネルによれば、上述の第４の実施の形態に係る合わせパネル（合わせパネル４００）と同様の効果を奏することができると共に上述の第２の実施の形態に係る合わせパネル（合わせパネル２００）と同一の効果を奏することができる。
【００７２】
次いで、本発明の第７の実施の形態に係る合わせパネルについて説明する。
【００７３】
本実施の形態に係る合わせパネルは、上述の第１〜第６の各実施の形態に係る合わせパネルにおいて、発光装置１４０を単色の光を発光するＬＥＤを備える発光装置に代えたものである。本実施の形態に係る合わせパネルにおいて、発光装置は、上記単色の光を発光するＬＥＤを１つ備えるものであってもよく、複数個備えるものであってもよい。
【００７４】
本実施の形態に係る合わせパネルによれば、上述の第１の実施の形態に係る合わせパネルと同様に、合わせパネルの構造を簡単にすることができる。また、ユーザは、階調制御装置１６０の操作部１６２における所定の操作により発光装置の発光する単色光の階調を任意に変更することができ、一対のガラス板１１０，１２０の全面において発光する光を所望の階調に任意に変更することができる。従って、ユーザの嗜好を満たすことができる。さらに、上述の各実施の形態に係る合わせパネルと同様の効果を奏することができる。
【００７５】
上述の各実施の形態に係る合わせパネルは、従来の合わせパネルに枠体１５０等を取り付けることにより形成することもできる。このため、本発明は、従来の合わせパネルを利用することができる。
【００７６】
上述の各実施の形態に係る合わせパネルは、透明基板として一対のガラス板１１０，１２０を有するものとしたが、合わせパネルの有する透明基板はこれに限るものではない。例えば、合わせパネル１００は、透明基板として、一対のガラス板１１０，１２０に代えて一対のプラスチック基板を有するものであってもよい。プラスチック基板としては、例えば、ポリカーボネート製板がある。また、合わせパネル１００は、ガラス板とこれに対応するプラスチック製板とから構成される一対の透明基板を備えるものであってもよい。
【００７７】
尚、上述の各実施の形態において、発光装置はＬＥＤから構成されるものとしたが、本発明はこれに限るものではなく、例えば第１〜第６の実施の形態においては、発光装置は、赤、緑、及び青色の光を発光する発光素子から構成されるものであればよい。また、光の色を変更可能な発行装置であってもよい。
【００７８】
また、上述の第３及び第５の実施の形態においては、合わせパネルを自動車のルーフパネルとして用いたが、合わせパネルの用い方はこれに限るものではない。例えば、自動車の他の窓や他の部品として用いてもよく、また他の車両、例えば電車等の窓として用いてもよく、さらに、建築物等の窓に用いてもよい。
【００７９】
また、上述の第４及び第６の実施の形態においては、合わせパネルを自動車のルーフパネルとして用いたが、合わせパネルの用い方はこれに限るものではない。例えば、自動車の他の窓や他の部品として用いてもよく、また他の車両、例えば電車等に用いてもよい。
【図面の簡単な説明】
【００８０】
【図１】本発明の第１の実施の形態に係る合わせパネルの概略構造を示す断面図である。
【図２】図１の合わせパネルの概略構造を示す斜視図である。
【図３】本発明の第２の実施の形態に係る合わせパネルの概略構造を示す断面図である。
【図４】本発明の第３の実施の形態に係る合わせパネルを示す斜視図である。
【図５】本発明の第４の実施の形態に係る合わせパネルを示す斜視図である。
【符号の説明】
【００８１】
１００，２００，３００，４００  合わせパネル
１１０，１２０  ガラス板
１３０，２１０  中間膜
１４０  発光装置
１４２，１４２，１４３  ＬＥＤ
１５０  枠体
１５１，１５２，１５３  溝
１６０  階調制御装置
１６２  操作部
２２０，２３０  透明膜
２４０  調光体
２５０  液晶層
２６１，２６２  ＰＥＴフィルム
２６３，２６４  透明電極
２７０  電極構造
２８０  電圧印加装置
２８１  スイッチ
３１０，４２０  自動車
３２０，４３０  開口部
４１０  測距センサ
【図１】
2006298061.tif 000003
【図２】
2006298061.tif 000004
【図３】
2006298061.tif 000005
【図４】
2006298061.tif 000006
【図５】
2006298061.tif 000007